(57)【要約】      （修正有）【課題】カバー及びスプリングブラケットに設けられた接点セットを有するリレーを提供する。【解決手段】接点の列１１、１２は、カバー２に設けられた少なくとも１つの固定隔壁５、５’及びスプリングブラケット３に設けられた少なくとも１つの対向して向けられた固定隔壁６を有する絶縁構造によって絶縁され、追加的に少なくとも１つの可動アクチュエータ４がカバー２とスプリングブラケット３との間のスペースに配置される。絶縁構造は、カバー２に設けられた２つの相互に平行且つ相互に離間された隔壁５、５’及びカバー２に設けられた隔壁５、５’の間に係合するスプリングブラケット３に設けられた１つの隔壁６を有する。【選択図】図３
2014103114.tif 000002
【特許請求の範囲】
【請求項１】
接点の列が、カバーに設けられる少なくとも１つの固定隔壁及びスプリングブラケットに設けられる少なくとも１つの対向して向けられた固定隔壁を有する絶縁構造によって分離され、追加的に少なくとも１つの可動アクチュエータが前記カバーと前記スプリングブラケットとの間のスペースに配置され、
前記絶縁構造は、前記カバーに設けられた２つの相互に平行且つ相互に離間された隔壁及び前記カバーに設けられた前記隔壁の間に係合する前記スプリングブラケットに設けられた１つの隔壁を有する、
前記カバー及び前記スプリングブラケットに配置された接点セットを有するリレーであって、
長さが前記隔壁と平行であるとともに前記隔壁の平面と同一平面であるフランジが、前記アクチュエータに一体に形成される、
接点セットを有するリレー。
【請求項２】
接点の列が、カバーに設けられる少なくとも１つの固定隔壁及びスプリングブラケットに設けられる少なくとも１つの対向して向けられた固定隔壁を有する絶縁構造によって分離され、追加的に少なくとも１つの可動アクチュエータが前記カバーと前記スプリングブラケットとの間のスペースに配置され、
前記絶縁構造は、前記スプリングブラケットに設けられた２つの相互に平行且つ相互に離間された隔壁及び前記スプリングブラケットに設けられた前記隔壁の間に係合する前記カバーに設けられた少なくとも１つの隔壁を有する、
前記カバー及び前記スプリングブラケットに配置された接点セットを有するリレーであって、
長さが前記隔壁と平行であるとともに前記隔壁の平面と同一平面であるフランジが、前記アクチュエータに一体に形成される、
接点セットを有するリレー。
【請求項３】
接点の列が、カバーに設けられる少なくとも１つの固定隔壁及びスプリングブラケットに設けられる少なくとも１つの対向して向けられた固定隔壁を有する絶縁構造によって分離され、追加的に少なくとも１つの可動アクチュエータが前記カバーと前記スプリングブラケットとの間のスペースに配置され、
前記絶縁構造は、前記カバーに設けられた２つの相互に平行且つ相互に離間された隔壁及び前記カバーに設けられた前記隔壁の間に係合する前記スプリングブラケットに設けられた１つの隔壁を有する、
前記カバー及び前記スプリングブラケットに配置された接点セットを有するリレーであって、
長さが前記隔壁の平面と平行であるフランジが、前記アクチュエータに一体に形成される、
接点セットを有するリレー。
【請求項４】
前記アクチュエータは、前記カバーに設けられた少なくとも１つの隔壁又は前記スプリングブラケットに設けられた少なくとも１つの隔壁の高さに配置される、
請求項１乃至３のいずれか１項に記載の接点セットを有するリレー。
【請求項５】
前記アクチュエータは、前記カバーに設けられた２つの隔壁の高さに又は前記スプリングブラケットに設けられた２つの隔壁の高さに配置される、
請求項１乃至４のいずれか１項に記載の接点セットを有するリレー。
【請求項６】
前記少なくとも１つの可動アクチュエータは、前記絶縁構造の外側に配置される、
請求項１乃至５のいずれか１項に記載の接点セットを有するリレー。
【請求項７】
前記カバー又は前記スプリングブラケットに設けられた前記１つ又は前記２つの隔壁の長さは、前記アクチュエータのフランジが、その延長部において前記隔壁の端部と接触するように且つ前記アクチュエータのフランジの長さをプラスした前記カバー又は前記スプリングブラケットに設けられた前記１つ又は前記２つの隔壁の長さが、前記カバーの下側と前記スプリングブラケットの上側との間のスペースをほとんど満たすように、選択される、
請求項１乃至６のいずれか１項に記載の接点セットを有するリレー。
【請求項８】
前記フランジは、同じ方向に延びる平行な追加的なフランジによって隣接される、
請求項７に記載のリレー。
【請求項９】
前記追加的なフランジは、前記カバーに設けられた隔壁及び／又は前記スプリングブラケットに設けられた隔壁を、横方向にカバーする、
請求項８に記載のリレー。
【請求項１０】
前記スプリングブラケットに設けられた前記１つ又は前記２つの隔壁の長さは、前記アクチュエータのフランジが、その延長部において前記隔壁の端部と接触するように且つ前記アクチュエータのフランジの長さをプラスした前記スプリングブラケットに設けられた前記１つ又は前記２つの隔壁の長さが、前記カバーの下側と前記スプリングブラケットの上側との間のスペースをほとんど満たすように、選択される、
請求項１乃至９のいずれか１項に記載の接点セットを有するリレー。
【発明の詳細な説明】
【技術分野】
【０００１】
本発明は、請求項１の前段部によるリレーの接点セット用絶縁構造に関する。
【背景技術】
【０００２】
このタイプのリレーでは、接点セットの接点の列が空気通路又は可動若しくは固定リブのみによって互いに分離される。通常、アクチュエータが、Ｔ形状又はＵ形状に設計されるとともにアーマチュア及び可動部品に支持されるリブの間に配置される。
【０００３】
特許文献１は、接点セットを有するリレーを開示する。図２では、カバー及びスプリングブラケットを持つリレーは、を有して示される
２つの固定隔壁が各ケースにおいてカバーに配置され、２つの固定隔壁が同様にその下に位置するスプリングブラケットに配置される。これらの隔壁の間に、垂直フランジを有する可動水平アクチュエータが配置される。垂直フランジは、隔壁の間に配置され、部分的にカバー及びスプリングブラケットの隔壁を覆う。これは、接点の列の間の絶縁を実現する。
【０００４】
したがって、従来技術によれば、カバーとスプリングブラケットの両方が固定垂直部分を有し、可動アクチュエータがそれら間に配置された少なくとも１つの垂直フランジを有することが知られている。したがって、所望の絶縁距離は、固定隔壁及びアクチュエータの可動垂直フランジを用いて実現される。
【０００５】
特許文献２の主題から、独立請求項１乃至３の前段部による電磁リレーが知られるようになり、そこでは、カバーに設けられた隔壁２５がスプリングブラケットに設けられた隔壁２３を超えて延びる。しかし、アクチュエータは、カバー及びスプリングブラケットに設けられた隔壁の間のこの空間の間の外側で、カバーの側壁に配置される。これは、アクチュエータが相互に重なる隔壁の外側に配置され、したがって非常に広いハウジングの設計をもたらすので、非常に場所を取る設計をもたらす。アクチュエータの駆動部は、スプリングブラケットの内部の中央の隔壁の間に配置され、これは、ハウジングを非常に広くするという欠点と関連する。接点は、接点スプリングを作動させるアクチュエータに配置される。したがって、アクチュエータはまた接点キャリアである。したがって、アクチュエータは、能動及び受動接点スプリングの間の如何なる追加的な絶縁効果も提供することができない。望まない接点消耗が接点セットの領域で発生する場合、接点内での接点閉鎖等、望まない故障が発生し得る。
【０００６】
同様の電磁リレーに関連する特許文献３は、リレーの内部に突出するとともに、スプリングブラケットの上方側部に配置された２つの短いＶ形状隔壁６３のＶ形状上方開放溝４９に係合する、カバーに設けられた非常に短い隔壁７１のみを示す。これは、接点の保護が、カバーに設けられた隔壁及びスプリングブラケットに設けられた隔壁によって全く提供されないという欠点と関連する。
【０００７】
特許文献４から、低電圧リレーが知られるようになり、そこでは、中央の仕切り２６のみが２つの接点チャンバの間に配置され、その下方の自由端でスプリングブラケットの２つの脚部の間の対応するＶ形状の上方に開口した溝に係合する。
【０００８】
各接点チャンバは１つの接点を収容する。アクチュエータは、ガルバニック導電素子として設計され、２つの接点チャンバの接点は、したがって、互いにガルバニック接続される。中央の仕切り２６は、実際にまた、接点消耗が一方の側から他方に入ることを防ぐが、一方のチャンバの接点が他方のチャンバの接点にガルバニック接続されるので、チャンバの一方の側の接点とチャンバの他方の側の接点の間の絶縁は、これら互いにガルバニック接続される接点であるので、意味を持たない。
【先行技術文献】
【特許文献】
【０００９】
【特許文献１】ＥＰ  ０  ６３４  ７６７  Ｂ１
【特許文献２】ＥＰ  ０  １９２  ９２８  Ａ１
【特許文献３】ＥＰ  ０  ９５４  ００１  Ａ１
【特許文献４】ＤＥ  ３４  ３７  ５４４  Ｃ２
【発明の概要】
【発明が解決しようとする課題】
【００１０】
これに反して、本発明は、スプリングブラケットに様々な異なる電位を帯びるとともに任意選択で常時閉及び／又は常時開接点として設計される互いにガルバニック絶縁された複数の接点を有するリレーから生じる。したがって、常時閉又は常時開接点として設計される接点が異なる電位を帯びている場合、一方の接点の電位が、例えば、絶縁の橋絡（導電ブリッジ）を通じて、他方の接点の電位に移動され得ることを、常に防ぐことが重要である。このような導電ブリッジは、例えば、意図せずに且つ不所望に他方の接点に向かって移される、接点の間に発生する接点消耗によって生じ得る。
【００１１】
これは、本発明が入るところであり、この発明は、このような異なる電位を帯びるリレー接点における接点消耗の移動を防ぐ。
【００１２】
本発明の目的は、特に、リレーの接点セットの接点の列の間で、可能な限り小さい設置スペースでの絶縁を提供する要件を満たす、可能な限り小さい設置スペースの構造を達成することである。
【課題を解決するための手段】
【００１３】
この目的をかなえるために、本発明は、独立請求項１乃至３の技術的な教示によって特徴付けられる。
【００１４】
そこに設けられるフランジを持つアクチュエータの形状が、接点の間の絶縁を向上させることを確実にするということが、本発明の本質的な特徴である。したがって、接点接触がアクチュエータの又はアクチュエータによって作動される接点の領域で発生した場合、フランジは、相互に重なるカバー及びスプリングブラケットに設けられた隔壁が、接点セットの如何なる接点消耗も、相互に重なるカバー及びスプリングブラケットに設けられた隔壁によって形成される絶縁スペースに入ることができないように、側部から覆われることを確実にする。
【００１５】
結果として、相互に係合するカバーに及びスプリングブラケットに設けられた隔壁によって作られるこのスペースは、絶縁距離の減少をもたらし得る接点消耗によって、ふさがれない。
【００１６】
カバーによって及び相互に迷路のような方法で係合するスプリングブラケットに設けられる隔壁によって作られる絶縁距離は、したがって、減少しない又はそこに入る接点消耗によってブリッジさえされない。
【００１７】
これは、大きい絶縁距離が可能な限り小さいスペースに作られることができ、アクチュエータに配置されたフランジが、アクチュエータの接点セットによって生じる任意の接点消耗が、相互に係合するカバーとスプリングブラケットに設けられる隔壁との間の絶縁スペースに入ることができることの開始を防ぐため、本発明の本質的な利点である。
【００１８】
本発明は、幾つかの独立請求項に、相互に係合するカバー及びスプリングブラケットに設けられた隔壁を有するこの絶縁構造がどのように設計されるかを記載する。これは、１つ又は２つの隔壁が各ケースのカバーに配置されるとともに、カバーに配置された１つ又は２つの隔壁が常にスプリングブラケットに設けられた１つ又は２つの隔壁で構成されている対向する構造に係合するような方法の、実質的に迷路のような構造であり、隔壁は、非常に長い距離に沿って互いに重なるとともに、カバーの下側とスプリングブラケットの上側の間の全構造空間を実質的にカバーする。
【００１９】
アクチュエータのフランジが次に、カバーの下側とスプリングブラケットの上側の間の全構造空間の最高の横方向のカバーが実現されるように、カバーに設けられた隔壁又はスプリングブラケットに設けられた隔壁の全体の直線の延長に配置される
隔壁の平面に対するアクチュエータのフランジの位置合わせされた配列の代わりに、他の実施形態では、アクチュエータのフランジが１つの平面に配置されるのではなく、カバー又はスプリングブラケットに設けられた隔壁に横方向に距離を置いて、しかしそれにもかかわらず側部からそれを最適にカバーするように、配置されることが可能である。
【００２０】
記載された実施形態の全ては、アクチュエータに設けられた接点及びそこに生じる如何なる接点消耗が絶縁スペースに入ることを防ぐアクチュエータの本発明のフランジを用いて、相互に係合するカバーとスプリングブラケットに設けられた隔壁との間の需要な絶縁距離の最高の横方向のカバーを実現する。
【００２１】
接点セットの接点の列の間の絶縁をもたらすために、カバーが少なくとも１つの固定隔壁を有するとともにスプリングブラケットが同様に少なくとも１つの固定隔壁を有することが本質的な特徴である。可動アクチュエータは、絶縁構造の外でこの装置に配置される。
【００２２】
絶縁構造はしたがって、第１の実施形態において、カバーに設けられた２つの相互に平行且つ相互に離間された隔壁及びカバーに設けられた隔壁の間に係合し、したがって好ましい絶縁を提供するスプリングブラケットに設けられた１つの隔壁を有する、又は第２の実施形態において、絶縁構造は、スプリングブラケットに設けられた２つの相互に平行且つ相互に離間された隔壁及びスプリングブラケットに設けられた２つの隔壁の間に係合するカバーに設けられた１つの隔壁を有する。
【００２３】
したがって、アクチュエータがこの絶縁構造の一部ではなく、絶縁構造の外に配置されることが非常に重要である。
【００２４】
したがって、本発明の有利な実施形態では、カバーの２つの垂直な、離間され、固定された隔壁及びスプリングブラケットの１つの垂直な固定された隔壁を有する。スプリングブラケットの１つの隔壁はここでは、カバーの垂直な隔壁の間に配置される。隔壁の垂直長さは、それらが互いに横方向に互いをカバーするように設計される。
【００２５】
スプリングブラケットの垂直な隔壁はしたがって、カバーの２つの隔壁の間に入る。これは、アクチュエータが絶縁に関与することなしに、カバー及びスプリングブラケットの総合に係合する隔壁の間に絶縁距離を作る。したがって、これが従来技術の場合のように、アクチュエータが、任意選択でそこに一体に形成されたフランジを有して、絶縁距離を拡大しなければならないことはもはや必須ではない。
【００２６】
アクチュエータがもはやカバー及びスプリングブラケットの２つの隔壁の間にガイドされないことが本発明において新規である。これは、カバー及びスプリングブラケットの固定隔壁の空間的な配置のために、アクチュエータと無関係な良好な絶縁が、できる限り小さい設置スペースで実現できるという顕著な利点を作り出す。
【００２７】
もちろん、配置は、カバーの２つの隔壁がスプリングブラケットに設けられ得るとともにカバーが２つの隔壁の間に配置された１つの隔壁を有するように、鏡に映すように作られ得る。
【００２８】
少なくとも１つの可動アクチュエータが隔壁の間に延びないが、カバー又はスプリングブラケットに設けられた１つの隔壁によって分けられることが本発明では重要である。
【００２９】
個々の対向した隔壁の侵入深さは、要件が常に十分に満たされるように、設計されなければならない。したがって、隔壁の高さは、もちろん変化し得る。
【００３０】
可動アクチュエータは、絶縁の構成のいずれの部分も形成しない。したがって、２つの隔壁及び下からその間に突出する１つの隔壁が絶縁を作り出し、接点の列のための少なくとも１つのアクチュエータはこの絶縁の外側に移動可能に配置される。
【００３１】
これは従来技術で知られているが、移動部品が絶縁のいずれの部分も形成しないことが重要である。
【００３２】
本発明の主題は、個々の特許請求の範囲の主題からだけでなく、互いの組み合わせを取られる個々の特許請求の範囲からも、派生する。
【００３３】
要約及び図面に示された特定の物理的形状を含む、文書に開示された全ての詳細及び特徴は、従来技術に対して、個別に又は組み合わせにおいて、それらが新規であるか限り、本発明に必須のものとして主張される。
【００３４】
本発明が、本発明を実施する単に１つの方法を説明する図面を参照して詳細に記載される。本発明に必要なさらなる特徴及び本発明の利点は、図面及びそれらの説明から明らかになるであろう。
【図面の簡単な説明】
【００３５】
【図１】図１は、２つの隔壁を持つ、従来技術による絶縁構造の概略図である。
【図２】図２は、４つの垂直隔壁を持つ、従来技術による絶縁構造の概略図である。
【図３】図３は、第１の実施形態による、本発明の絶縁構造の概略図である。
【図４】図４は、第２の実施形態による、本発明の絶縁構造の概略図である。
【図５】図５は、第３の実施形態による、本発明の絶縁構造の概略図である。
【図６】図６は、第４の実施形態による、本発明の絶縁構造の概略図である。
【発明を実施するための形態】
【００３６】
図３乃至６の本発明による図面は、カバー及びスプリングブラケットに設けられた隔壁の配置の可能な第１の実施形態を示す。
【００３７】
しかし、ここに示された隔壁配置が正確に逆にされ得ることは図面には示されていない。すなわち、ある人が図３乃至６の図面を上下逆にし、逆さまにした図面においてカバー２が常に上側に位置するとともにスプリングブラケット３が底部にあると仮定する場合、これは、図３乃至６による全ての図面に関するさらなる実施形態であり、これは同様に特許請求の範囲に包含されることが意図される。
【００３８】
結果として、これは、図３乃至６に示されるように、カバー及びスプリングブラケットの実施形態が、参照数字２及び３がそのとき取り替えられるように、逆さまにされ得ることを意味する。
【００３９】
図４と比べて図３が隔壁配置の運動学的反転を示すのと同じように、これはまた図５及び６でも行われ得る。したがって、図５及び６は運動学的反転を描いていないが、これは本発明の範囲内に入ることが意図される。
【００４０】
図１は、従来技術によるリレーの絶縁構造を示す。絶縁構造１は実質的にカバー２及び対向するスプリングブラケット３を有する。
【００４１】
カバー２には、垂直に下方に延びる第１の隔壁５が配置される。対向するスプリングブラケット６は、カバーに向かって垂直に上方に延びる隔壁６を有する。可動アクチュエータ４が、カバー２及びスプリングブラケット３並びに付随する隔壁５及び６である２つの構成要素の間に配置される。アクチュエータ４は、２つの隔壁５及び６を囲む２つの垂直フランジ７を有する。本実施形態では、接点セットの絶縁は、２つの隔壁５及び６並びに可動アクチュエータ４の２つのフランジ７を介して達成される。
【００４２】
図２は、従来技術によるさらなる実施形態を示す。ここでは、アクチュエータのフランジ７は、カバー２の垂直隔壁５及び５’とスプリングブラケット３の隔壁６及び６’との間に移動可能に配置される。そこでは、フランジ７及び７’が個々の隔壁５及び６を囲むので、これは、図１による実施形態の反転である。
【００４３】
少なくとも１つのアクチュエータ４は、絶縁構造の一部であり、２つの接点列１１、１２の間で分離を絶縁するものとして機能する。それは、矢印１０の方向に、図の描画面と垂直な方向に動かされる。従来技術では、アクチュエータ４は、図２によるフランジ７又は図１によるフランジ７、７’によって、絶縁構造に不利な方法で一体にされ、カバー及びスプリングブラケットに設けられた静止して対向する隔壁の絶縁オーバーラップが、それらの間の可動なアクチュエータ４によって低下されるので、リレーの漏出電流特性及び絶縁特性を低下させる。
【００４４】
図３は、本発明による第１の実施形態を示す。ここでは、カバー２及びスプリングブラケット３は、平行に且つ互いに離間されて配置される。
【００４５】
しかし、図３乃至６の全ての実施形態において、カバー及びスプリングブラケットに設けられた固定隔壁が、アクチュエータがこのオーバーラップ領域の外側に配置されるので、より大きいオーバーラップを形成することが示される。この種のリレーの絶縁特性は、この方法で著しく向上され得る。
【００４６】
図３は、実施形態として、右接点列１１が絶縁構造の右側に配置され左接点列１２が絶縁構造の反対側に配置されるものを示す。この配置における接点列１１、１２の接点は、図の平面に垂直に延びる。
【００４７】
本発明の第１の実施形態では、全ての実施形態において、カバーに設けられた隔壁は、カバーの下側に一体に形成され、材料に関してそれとともに１つの部品を形成することが提供される。本発明の第２の実施形態では、全ての以下の実施形態に関して、カバーに設けられた隔壁は、カバーそれ自体の下側に直接一体に形成されず、これらの隔壁が別個の支持部に取り付けられ、カバーの下側が滑らかであるとともにリレーにスナップ接続されることが提供される。
【００４８】
カバーに設けられた隔壁に関する同じ実施形態はまた、スプリングブラケットに設けられた隔壁に対しても当てはまる。ここではまた、これらが材料に関してスプリングブラケットと一体部品を形成することは、本発明に必須ではない。代わりに、それらは、別個の支持部に配置され得るとともに、スプリングブラケットと別個に実装され得る。
【００４９】
したがって、本発明の焦点は、第１の接点列１１とその反対側に配置された第２の接点列との間の絶縁能力を向上させることである。
【００５０】
カバー２は、スプリングブラケット３に向かって延びる２つの垂直に延びる隔壁５、５’を有する。カバー２の２つの隔壁５、５’の間を延びる１つの垂直に延びる隔壁６が対向するスプリングブラケット３に設けられる。隔壁６はしたがって、２つの隔壁５及び５’の間に入る。
【００５１】
本実施形態では、絶縁が固定隔壁５及び５’並びにそれらの間に入る隔壁６だけによって実現される。
【００５２】
少なくとも１つの可動アクチュエータ４、４’が、隔壁５、５’及び６によって作られる絶縁構造の外側に初めて配置される。可動アクチュエータ４、４’は好ましくは少なくとも１つの垂直フランジ８、８’を有する。
【００５３】
絶縁構造が隔壁５、５’及びこれらの隔壁の間に入る隔壁６だけによって形成されることは、初めて本発明において新規である。フランジ８及び８’を有する可動アクチュエータ４、４’が次にこの絶縁構造の外側に配置される。
【００５４】
図４は、本発明のさらなる実施形態を示す。実施形態は、図３による実施形態の鏡像のバージョンである。
【００５５】
カバー２から、垂直隔壁５が今カバーに平行に延びるスプリングブラケット３に向かって下方に延びる。スプリングブラケット３は、カバーに向かって上方に延びる２つの垂直隔壁６、６’を有する。隔壁５はしたがって、２つの隔壁６、６’の間に入る。これは、接点の列の間の絶縁を確実にする。
【００５６】
本発明により必須の構造では、可動アクチュエータ４、４’は隔壁５、６及び６’によって作られる絶縁構造の外側に配置される。
【００５７】
さらなる好適な実施形態では、可動アクチュエータ４、４’は、アクチュエータに一体に形成されるとともに絶縁を向上させる垂直フランジ８、８’を有する。
【００５８】
図５は、本発明に必須であるさらなる実施形態を示す。この実施形態では、カバー２は、カバーに平行に置かれるスプリングブラケット３に向かって延びる、２つの垂直に下方に延びる隔壁５、５’を有する。スプリングブラケット３は、カバーに向かって垂直に延びるとともに、２つの隔壁５、５’の間に入る１つの隔壁６を有する。図３の実施形態は、少なくとも１つの追加のフランジ９、９’が可動アクチュエータ４、４’に一体に形成されることを除いて、図５の実施形態に対応する。
【００５９】
図６は、本発明によるさらなる実施形態を示す。図６による実施形態では、アクチュエータ４、４’が隔壁５、５’のそばに又は隔壁５、５’の高さに配置されることが新規である。
【００６０】
図３、４及び５による実施形態では、可動アクチュエータ４、４’は、それぞれの１つの隔壁５又は６の高さに配置される。図６による実施形態では、可動アクチュエータ４、４’のそれぞれは、隔壁５、５’又は６及び６’の高さに配置される。
【００６１】
絶縁構造が固定隔壁だけを用いて実現されることが本発明に必須である。可動アクチュエータは一般的に、如何なる絶縁を提供するようにも働かず、本発明に必須な絶縁構造の外側に配置される。
【符号の説明】
【００６２】
１  絶縁構造
２  カバー
３  スプリングブラケット
４  アクチュエータ（４、４’）
５  隔壁（５、５’）
６  隔壁（６、６’）
７  フランジ（７、７’）
８  フランジ（８、８’）
９  フランジ（９、９’）
１０  矢印の方向
１１  接点列
１２  接点列
【図１】
2014103114.tif 000003
【図２】
2014103114.tif 000004
【図３】
2014103114.tif 000005
【図４】
2014103114.tif 000006
【図５】
2014103114.tif 000007
【図６】
2014103114.tif 000008